(57)【要約】【課題】寸法にばらつきのある市販の割り箸等を着脱でき、これをトング先端部として使い捨て感覚で利用できるトングの柄を提供する。【解決手段】トングの柄１００は、市販の使い捨て部材を着脱可能であり、柄本体１１０と一対の取付部材１２０とを備える。柄本体１１０は、Ｕ字状基部１１１と、一対の差し込み部１１２とを有する。取付部材１２０は、第１・第２開口部１２１，１２２が設けられた開口通路１２３を有する。第１開口部１２１は、差し込み部１１２のいずれかを開口通路１２３へ内挿可能である。第２開口部１２２は、差し込み部１１２が開口通路１２３に内挿された状態で、差し込み部１１２に並置されるように、使い捨て部材の一部を開口通路１２３内へ挿入可能である。取付部材１２０と柄本体１１０との相対位置を変化させることにより、使い捨て部材の一部が開口通路１２３内で挟持・固定される。【選択図】図１
0003220377.tif 000002
【実用新案登録請求の範囲】
【請求項１】
市販の使い捨て部材を着脱可能なトングの柄であって、
Ｕ字状基部と、該基部から先端に延びた一対の差し込み部と、を有した柄本体と、
第１開口部と第２開口部とが設けられた開口通路を有した一対の取付部材と、
を備え、かつ、
第１開口部は、前記差し込み部のいずれかを前記開口通路へ内挿可能であり、
第２開口部は、前記差し込み部が前記開口通路に内挿された状態で、前記差し込み部に並置されるように、前記使い捨て部材の一部を前記開口通路内へ挿入可能であり、
前記取付部材と前記柄本体との相対位置を変化させることにより、前記使い捨て部材の前記一部が前記開口通路内で挟持・固定されることを特徴とするトングの柄。
【請求項２】
前記開口通路及び前記差し込み部の少なくとも一方が湾曲又は傾斜しており、前記相対位置の変化の際に、前記湾曲又は傾斜に応じて前記差し込み部が弾性変形し、前記使い捨て部材の前記一部を前記開口通路内で押圧・挟持することを特徴とする請求項１に記載のトングの柄。
【請求項３】
前記取付部材が前記柄本体に対し、着脱自在に構成されていることを特徴とする請求項１又は２に記載のトングの柄。
【請求項４】
前記開口通路の横断面が、第１空間と、第１空間に隣接した第２空間とを有し、
第２空間は、幅が次第に狭くなるテーパ壁を有し、
前記差し込み部は、第１空間内に出し入れ可能に配置され
前記使い捨て部材の前記一部は、第１・第２空間内に出し入れ可能に配置され、
前記相対位置の変化により前記差し込み部が弾性変形して、前記テーパ壁のいずれかの傾斜位置で前記使い捨て部材の前記一部を押圧・固定可能であることを特徴とすることを請求項１〜３のいずれかに記載のトングの柄。
【請求項５】
前記使い捨て部材が、使い捨て用品として市販で入手可能な割り箸、スプーン、フォーク、ピック、又は、爪楊枝であることを特徴とする請求項１〜４のいずれかに記載のトングの柄。
【考案の詳細な説明】
【技術分野】
【０００１】
本考案は、調理器具に関し、市販の割り箸等の使い捨て部材を着脱可能なトングの柄に関するものである。
【背景技術】
【０００２】
海や川など屋外でバーベキューを楽しむ際、肉や野菜等の食材を調理したり、調理した食材を皿等に盛り付けたりするためにトングが使用される。通常、アルミニウムやステンレス等といった金属製のトングが使用される。
【０００３】
しかしながら、使用後、この従来のトングを片付ける際、トングにこびりついた汚れを洗い落す必要がある。これはユーザーにとって面倒で手間の掛かる作業である。なお、このような不便は、バーベキュー用のトングに限らず、ゴミ拾い用のトングの使用後にも生ずる。
【０００４】
このような面倒を無くすために、割り箸を着脱できるトングの柄が販売されている（例えば、非特許文献１を参照）。また、特許文献１には、柄の部分にスプーンを着脱できるトングも開示されている。
【先行技術文献】
【特許文献】
【０００５】
【特許文献１】実登第３１９４８８８号公報
【非特許文献】
【０００６】
【非特許文献１】箸トング、吉野製箸のホームページ、［平成30年12月6日検索］、インターネット＜http://ii-hashi.com/hashitong.html＞
【考案の概要】
【考案が解決しようとする課題】
【０００７】
しかしながら、非特許文献１のトングの柄では、交換用の割り箸は特定の寸法を有した業者指定のものに限定されるために、寸法にばらつきのある市販の様々な割り箸を利用することができないという問題がある。
【０００８】
また、特許文献１の場合は、柄の部分とスプーンの基端部分との連結構造が特殊であり、専用のスプーンの使用が前提となっているため、通常使い捨てされる市販の樹脂製スプーン等を利用することができない。
【課題を解決するための手段】
【０００９】
本考案者は、鋭意検討した末、寸法にばらつきのある各種の割り箸等に対応してこれらを着脱可能にできる構造を見出し、本考案を完成するに至った。
【００１０】
すなわち、本考案は、例えば、次の構成・特徴を採用するものである。
【００１１】
（態様１）
市販の使い捨て部材を着脱可能なトングの柄であって、
Ｕ字状基部と、該基部から先端に延びた一対の差し込み部と、を有した柄本体と、
第１開口部と第２開口部とが設けられた開口通路を有した一対の取付部材と、
を備え、かつ、
第１開口部は、前記差し込み部のいずれかを前記開口通路へ内挿可能であり、
第２開口部は、前記差し込み部が前記開口通路に内挿された状態で、前記差し込み部に並置されるように、前記使い捨て部材の一部を前記開口通路内へ挿入可能であり、
前記取付部材と前記柄本体との相対位置を変化させることにより、前記使い捨て部材の前記一部が前記開口通路内で挟持・固定されることを特徴とするトングの柄。
（態様２）
前記開口通路及び前記差し込み部の少なくとも一方が湾曲又は傾斜しており、前記相対位置の変化の際に、前記湾曲又は傾斜に応じて前記差し込み部が弾性変形し、前記使い捨て部材の前記一部を前記開口通路内で押圧・挟持することを特徴とする態様１に記載のトングの柄。
（態様３）
前記取付部材が前記柄本体に対し、着脱自在に構成されていることを特徴とする態様１又は２に記載のトングの柄。
（態様４）
前記開口通路の横断面が、第１空間と、第１空間に隣接した第２空間とを有し、
第２空間は、幅が次第に狭くなるテーパ壁を有し、
前記差し込み部は、第１空間内に出し入れ可能に配置され
前記使い捨て部材の前記一部は、第１・第２空間内に出し入れ可能に配置され、
前記相対位置の変化により前記差し込み部が弾性変形して、前記テーパ壁のいずれかの傾斜位置で前記使い捨て部材の前記一部を押圧・固定可能であることを特徴とすることを態様１〜３のいずれかに記載のトングの柄。
（態様５）
前記使い捨て部材が、使い捨て用品として市販で入手可能な割り箸、スプーン、フォーク、ピック、又は、爪楊枝であることを特徴とする態様１〜４のいずれかに記載のトングの柄。
【考案の効果】
【００１２】
このように構成することにより、取付部材と柄本体との相対位置がある位置（第１位置）では、開口通路内に、市販の割り箸等の使い捨て部材を、例えば、差し込み部から充分に隙間を持たせた状態で内挿できる。そして、相対位置を変化させた後（第２位置）では、差し込み部が弾性変形して、割り箸の一部（例えば、一端）を開口通路の内壁に押し付けていく。このように相対位置を切り替えることで、トングの柄の両端に割り箸を着脱可能に挟持・固定することができる。
【００１３】
本考案の好適な態様では、取付部材の開口通路は、テーパ壁を備えているために、本考案品のユーザーは、分割前の割り箸でも分割後の割り箸片のどちらでもトング先端部として挿入・利用できる。
【図面の簡単な説明】
【００１４】
【図１】実施例１に係るトングの柄の斜視図及び分解斜視図を示した図である。
【図２】柄本体の斜視図、正面図、及び平面図を示した図である。
【図３】取付部材の平面図、正面図、底面図、左側面図、及び右側面図を示した図である。
【図４】トングの柄に使い捨て部材（割り箸）を取り付ける方法を説明した斜視図である。
【図５】柄本体と取付部材との相対位置の変化を説明した断面図である。
【図６】断面寸法の異なる使い捨て部材を挿入した開口通路の断面図である。
【図７】別の実施例に係るトングの柄の斜視図及び分解斜視図を示した図である。
【考案を実施するための形態】
【００１５】
以下、本考案を図面に示す実施例に基づき説明するが、本考案は、下記の具体的な実施例に何等限定されるものではない。なお、各図において同一又は対応する要素には同一符号を用いる。
【実施例１】
【００１６】
（本考案のトングの柄の構成）
本考案の実施形態の一例として、図１（ａ）〜（ｃ）にトングの柄１００を示す。トングの柄１００（以下、単に「柄」とも呼ぶ。）は、一般に市販されている使い捨て部材２００（例えば、図４（ａ）〜（ｃ）に示すような、木製割り箸）をトングの先端部として容易に装着し、使用後は取り外すことができる。
【００１７】
（主要構成部材とその製造方法）
柄１００は、例えば樹脂成形された柄本体１１０と、例えば樹脂成形された一対の取付部材１２０と、を組み合わせて構成され、全体としてＵ字状を成す。双方の部材１１０，１２０を樹脂で作る場合、金型を使用した樹脂成形により量産可能である。
【００１８】
（取付部材と柄本体との相対位置の変化）
図１（ａ）及び（ｂ）に示すように、柄本体１１０と取付部材１２０とは、互いの相対位置を変化できるように構成されている。図１（ａ）は取付部材１２０が夫々、柄本体１１０に対してその奥側（基端側）まで入り込んだ第１位置を示し、図１（ｂ）は取付部材１２０が夫々、柄本体１１０に対し手前（先端側）に引き出された第２位置を示す。また、図１（ｃ）の分解斜視図に示すように、取付部材１２０は夫々、柄本体１１０に対して、取外し可能（つまり、着脱自在）に構成されている。
【００１９】
なお、図２（ａ）〜（ｃ）は、それぞれ、柄本体１１０の斜視図、正面図、及び平面図を示す。図３（ａ）〜（ｅ）は、取付部材１２０の平面図、正面図、底面図、左側面図、及び右側面図を示す。図４（ａ）〜（ｃ）は、トングの柄１００に使い捨て部材２００の一例である割り箸を取り付ける方法を説明した斜視図である。図５（ａ）及び（ｂ）は、柄本体１１０と取付部材１２０との相対位置の変化を説明した断面図であり、図５（ｃ）は取付部材１２０の断面図である。図６（ａ）〜（ｃ）は、断面寸法の異なる使い捨て部材２００を挿入した柄１００の断面図である。
【００２０】
図１（ｃ）に示すように、柄本体１１０は、Ｕ字状基部１１１と、該基部１１１から先端側に延びた一対の差し込み部１１２とを有する。一方、一対の取付部材１２０は、夫々、第１開口部１２１と第２開口部１２２とが設けられた開口通路１２３を有する（図３（ｄ）及び（ｅ）並びに図５（ｃ）も参照されたい）。
【００２１】
ここで、基端側に配向された第１開口部１２１は、柄本体１１０の先端部である差し込み部１１２のいずれかを開口通路１２３へ内挿可能である。なお、差し込み部１１２の基端側には第１係止部１１３が設けられており、柄本体１１０の基端側への取付部材１２０の更なる移動が制限される（図５（ａ）及び（ｂ）を参照）。
【００２２】
また、先端側に配向された第２開口部１２２は、差し込み部１１２が開口通路１２３に内挿された状態で、差し込み部１１２に並置されるように、使い捨て部材２００の一端２０１を開口通路１２３内へ挿入可能である。なお、差し込み部１１２の外縁側には第２係止部１１４が設けられており、第２係止部１１４に対し上述の一端２０１が当接するため、柄本体１１０の基端側への使い捨て部材２００の更なる進入が制限され、使い捨て部材２００を柄１００内の所定の位置で留め置くことができる（図５（ａ）及び（ｂ）を参照）。
【００２３】
また、図２（ａ）〜（ｃ）に示すように、差し込み部１１２は、取付部材１２０が装着された状態で、使い捨て部材２００の一端２０１の左右の動きを制限し、これを第２係止部１１４へ向けて案内するガイド部１１５を有することが好ましい。なお、図５（ａ）及び（ｂ）では、説明の便宜上、ガイド部１１５を図示していない。
【００２４】
また、図２（ａ）〜（ｃ）に示すように、差し込み部１１２には、弾性変形が容易な扁平湾曲部１１６と、該扁平湾曲部１１６の先端側に接続された把持部１１７と、が設けられている。把持部１１７には、扁平湾曲部１１６よりも開口通路１２３内方に突出し、かつ、使い捨て部材２００の一端２０１を面的に確実に押圧・固定するのに適した把持面１１８が設けられていることが好ましい。
【００２５】
取付部材１２０の開口通路１２３は、図５（ｃ）に示すように、基端側から先端側に向かって開口径Ｄ（開口面積）が略一定の通路径一定部１２４と、通路径一定部１２４から更に先端に向かって平面視で徐々に下側に拡張湾曲した通路湾曲部１２５を有する。そのため、先端側の第２開口部１２２の開口面積は、基端側の第１開口部１２１の開口面積よりも拡大している。
【００２６】
加えて、図３（ａ）〜（ｅ）に示すように、取付部材１２０の外周面１２６の上下には、複数の突起群１２７，１２８が設けられている。これらの突起群１２７，１２８は、親指と人差し指をあてがうのに適した面積を有しており、後述するように、柄本体１１０に取付部材１２０と使い捨て部材２００を差し込んだ状態で、取付部材１２０を前後に動かすためのスライドグリップ部として機能する。
【００２７】
なお、図３（ｄ）及び（ｅ）に示すように、取付部材１２０の開口通路１２３は、その横断面が、幅広の第１幅Ｗ１を有した第１空間と、第１空間に隣接した第２空間とを有することが好ましい。詳しくは、第２空間は、第２幅Ｗ２と、該第２幅Ｗ２が前記開口通路１２３の内壁に向かって狭くなるテーパ壁ＴＷとを有する。
【００２８】
組付けの際、柄本体１１０の差し込み部１１２は、その第２係止部１１４を除き、第１空間内に出し入れ可能に配置される。一方、使い捨て部材２００は、第１空間のみならず第２空間内にも入り込んだ状態で出し入れ可能に配置される。
【００２９】
このような構成を採用することで、後述のように柄本体１１０に対する取付部材１２０の相対位置を変化させることにより、差し込み部１１２の扁平湾曲部１１６及び把持部１１７が弾性変形して、使い捨て部材２００の断面寸法に応じたテーパ壁ＴＷのいずれかの位置（傾斜面の任意の位置）で使い捨て部材２００を押圧・固定できるようになる。
【００３０】
言い換えれば、市販の割り箸の断面寸法にはバラツキがあるが、このテーパ壁ＴＷは、割り箸の着脱時にこれらのバラツキを吸収できるため、断面寸法が異なる種々の割り箸を本考案の使い捨て部材２００として利用することができる。
【００３１】
これに加えて、図６（ａ）及び（ｂ）に示すように、本考案のトングの柄１００は、分割前の割り箸２００Ａ（２本の割り箸片２００Ｂが並列に繋がったもの）でも分割後の割り箸片２００Ｂのどちらでも、使い捨て部材２００としてトングの柄１００に着脱可能とし、これらは装着されるとトング先端部を形成する。図６（ｂ）の場合、一回のトングの使用に、割り箸２００Ａ（分割前）を一本分だけ用意し、これを分割した割り箸片２００Ｂを柄本体１１０の両側先端に装着すれば済むので、経済的である。また、図６（ｃ）は、図６（ａ）に示した割り箸２００Ａよりも更に幅広な市販の割り箸２００Ｃであっても、取付部材１２０の開口通路１２３（より具体的には、テーパ壁ＴＷ）に押圧・固定できることを示す。
【００３２】
（使用方法）
本考案のトングの柄１００の使い方は極めて簡単である。図４（ａ）に示すように、使い捨て部材２００は、最初、トングの柄１００から離れた状態にある。そして、図５（ａ）に示すように、取付部材１２０を柄本体１１０の最も奥まった位置に、つまり、第１開口部１２１が第１係止部１１３に当接する基端側位置（第１位置）まで移動しておく。
【００３３】
この基端側位置（第１位置）では、差し込み部１１２の扁平湾曲部１１６は、同様に湾曲した通路湾曲部１２５内に配置されるため、扁平湾曲部１１６は通路湾曲部１２５に接触せず、下側に自由に広がったままになるため、取付部材１２０の開口通路１２３へ柄本体１１０の差し込み部１１２が差し込まれていても、外側に面した第２開口部１２２には、使い捨て部材２００を収容するのに十分広い開口スペースが確保されている。
【００３４】
このように柄本体１１０と取付部材１２０とを第１位置にセットした状態で、使い捨て部材２００の一端２０１を、第２開口部１２２から入れ、第２係止部１１４に当接するまで開口通路１２３内に挿入していく（図５（ａ）を参照）。
【００３５】
次に、一方の取付部材１２０上の突起群１２７，１２８を指で掴みながら、該取付部材１２０を先端側の第２位置へ移動するように引っ張る（図４（ｂ）の上側の取付部材１２０及び矢印又は図５（ｂ）の取付部材１２０を参照）。同様の操作を他方の取付部材１２０にも行う（図４（ｃ）の下側の取付部材１２０及び矢印を参照）。
【００３６】
先端側位置（第２位置）では、柄本体１１０に対し取付部材１２０が先端側へ移動させられた状態、つまり、通路湾曲部１２５内にあった扁平湾曲部１１６が、通路湾曲部１２５よりも開口径Ｄが狭い通路径一定部１２４に強制的に移動させられた状態となるため、扁平湾曲部１１６及びこの先端側に接続した把持部１１７が開口通路１２３内方（つまり、使い捨て部材２００に近づいてこれを押し付ける方向）へ弾性変形し、把持面１１８でもって使い捨て部材２００を開口通路１２３の内壁（つまり、テーパ壁ＴＷ）に確実に押圧・固定できるようになる。
【００３７】
このように取付部材１２０の夫々を、上述の先端側位置（第２位置）にセットすると、柄本体１１０と、取付部材１２０と、使い捨て部材２００とが、一体に堅固に組み付けられたトングを成す。操作者は、例えば、外側の突起群１２７，１２８を手で掴みながらトングを操作し、調理やゴミ拾いに利用することができる。そして、基端側位置（第１位置）と先端側位置（第２位置）との間で取付部材１２０を前後にスライドさせることで、柄本体１１０及び取付部材１２０に対して使い捨て部材２００を着脱自在とすることができる。
【実施例２】
【００３８】
（変形例）
実施例１では、差し込み部１１２の扁平湾曲部１１６や取付部材１２０の通路湾曲部１２５がその底面側に設けられていたが、互いの相対位置を変化させた場合に、使い捨て部材２００を押圧・挟持できるよう扁平湾曲部１１６を弾性変形させられる構成であれば、上記実施例１に限定されず、種々の変形例を採用可能である。なお、図７（ａ）及び（ｂ）は、別の実施例（実施例２）に係るトングの柄１００Ａの斜視図及び分解斜視図を示した図である。実施例１の柄１００Ａは、実施例１の柄１００と同様に、Ｕ字状基部１１１Ａと差し込み部１１２Ａとを有した柄本体１１０Ａと、一対の取付部材１２０Ａと、から構成される。なお、実施例２において、実施例１に対応する部材や部位については、実施例１の符号の末尾に「Ａ」を付す。
【００３９】
しかしながら、実施例２では、差し込み部１１２Ａの左右両側に設けられた平坦なガイド部１１５Ａの更に先端側に、左右両側に徐々に湾曲した扁平湾曲部１１６Ａが設けられた構成を採用する。一方、取付部材１２０Ａの開口通路１２３Ａには、通路径一定部１２４Ａに扁平湾曲部１１６Ａの湾曲形状に対応するように、左右に徐々に拡張・湾曲した通路湾曲部１２５Ａが設けられる。
【００４０】
この実施例２のような変形例でも、使い捨て部材２００がセットされた状態で柄本体１１０Ａに対して取付部材１２０Ａの相対位置を変化させることで、使い捨て部材２００に左右側を包囲した扁平湾曲部１１６Ａが、通路湾曲部１２５Ａから、これより狭い通路径一定部１２４Ａに移動する。これにより、扁平湾曲部１１６Ａの先端に夫々設けられた把持部１１７Ａが、使い捨て部材２００の左右側面を押圧・挟持・固定することができるようになる。
【００４１】
なお、上述したいずれの実施例は、使い捨て部材２００として割り箸を前提としたが、必ずしもこれに限定されない。図示しないが、例えば、市販の爪楊枝（例えば、木製）、ピック（例えば、木製）、スプーン（例えば、樹脂製）、フォーク（例えば、樹脂製）などを使い捨て部材２００として利用してもよく、これらの変形例に対応して、取付部材１２０の第１・第２開口部１２１，１２２や開口通路１２３、差し込み部１１２の扁平湾曲部１１６や把持部１１７の形状や構造を適宜、調整してもよい。
【００４２】
また、上述の実施例では、使い捨て部材２００の一端２０１を押圧・固定する構成を採用したが、必ずしも厳密な意味で端部に限らず、使い捨て部材２００の一部（例えば、やや中央位置）であればよい。
【００４３】
また、上述の実施例では、柄本体１１０の差し込み部１１２や取付部材１２０の両部材に形成された湾曲を用いながら、互いの相対位置を変化させて、使い捨て部材２００を押圧・挟持したが、必ずしもこの例に限定されない。例えば、一方の部材の一部だけを湾曲するようにしてもよい。また、湾曲部でなく、例えば、図示しない傾斜部であっても本考案の上述した効果と同様の効果を奏することができる。
【産業上の利用可能性】
【００４４】
本考案のトングの柄によれば、構成部材である柄本体と取付部材との相対位置が変化する前（第１位置）では、開口通路内に、市販の割り箸等の使い捨て部材を、例えば差し込み部と充分に隙間を持たせた状態で内挿できる。そして、相対位置を変化させた後（第２位置）では、差し込み部が弾性変形して割り箸の一端を開口通路の内壁に押し付けていくため、トングの柄の両端に割り箸を着脱可能に挟持・固定することができる。
【００４５】
従って、種々の寸法にバラツキのある市販の使い捨て部材（例えば、割り箸）を、本考案のトングの柄のトング先端部として、どれでも使い捨て感覚で使用できる。よって、バーベキュー用のトングやゴミ拾い用のトングとして、本考案品を使用すれば、最も汚れやすいトング先端部だけをゴミとして捨て、トングの柄だけを持ち帰れるため、片付けの手間等がほぼ無くなるのである。
【００４６】
このように本考案のトングの柄は、産業上の利用価値及び産業上の利用可能性が非常に高い。
【符号の説明】
【００４７】
１００，１００Ａ    トングの柄
１１０，１１０Ａ    柄本体
１１１，１１１Ａ    Ｕ字状基部
１１２，１１２Ａ    差し込み部
１１３，１１４    第１・第２係止部
１１５，１１５Ａ    ガイド部
１１６，１１６Ａ    扁平湾曲部
１１７，１１７Ａ    把持部
１１８，１１８Ａ    把持面
１２０，１２０Ａ    取付部材
１２１，１２１Ａ，１２２，１２２Ａ    第１・第２開口部
１２３，１２３Ａ    開口通路
１２４，１２４Ａ    通路径一定部
１２５，１２５Ａ    通路湾曲部
１２６    取付部材の外周面
１２７，１２８    突起群
２００，２００Ａ，２００Ｂ，２００Ｃ    使い捨て部材
２０１    使い捨て部材の一端（一部）
Ｄ    開口通路の通路径
Ｗ１    第１空間の第１幅
Ｗ２    第２空間の第２幅
ＴＷ    テーパ壁
【図１】
0003220377.tif 000003
【図２】
0003220377.tif 000004
【図３】
0003220377.tif 000005
【図４】
0003220377.tif 000006
【図５】
0003220377.tif 000007
【図６】
0003220377.tif 000008
【図７】
0003220377.tif 000009